【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
ユーザ操作を受け付ける受け付け手段と、
画像を表示部に表示するよう制御すると共に、表示する画像を他の画像に切り替えるための操作アイコンを、共に表示される画像に所定の属性情報が対応付けられているか否かに応じて異なるサイズで前記表示部に表示するよう制御する表示制御手段とを有し、
前記受け付け手段によって前記操作アイコンに対する操作が連続して受け付けられている間は、前記表示制御手段は、表示される画像に前記所定の属性情報が対応付けられているか否かに関わらず、前記操作アイコンの表示サイズを変更することなく前記画像の切り替えを行うよう制御することを特徴とする表示制御装置。
【請求項２】
前記表示される画像に前記所定の属性情報が対応付けられている場合、前記表示制御手段は、表示される画像と共に、前記所定の属性情報が対応付けられていることを示す情報を表示するよう制御することを特徴とする請求項１に記載の表示制御装置。
【請求項３】
前記表示制御手段は、前記表示される画像に前記所定の属性情報が対応付けられている場合、前記操作アイコンを第一の表示サイズで表示するよう制御し、
前記表示される画像に前記所定の属性情報が対応付けられていない場合、前記操作アイコンを第二の表示サイズで表示するよう制御し、
前記第一の表示サイズは、前記第二の表示サイズよりも小さいことを特徴とする請求項１または２に記載の表示制御装置。
【請求項４】
前記表示される画像に前記所定の属性情報が対応付けられている場合に共に表示される前記操作アイコンの表示領域は、前記表示される画像に前記所定の属性情報が対応付けられていない場合に共に表示される前記操作アイコンの表示領域に包含される領域であることを特徴とする請求項３に記載の表示制御装置。
【請求項５】
前記表示される画像に前記所定の属性情報が対応付けられている場合、前記表示制御手段は、前記所定の属性情報が対応付けられていることを示す情報を、所定の領域に表示するよう制御し、
前記所定の領域は、前記表示される画像に前記所定の属性情報が対応付けられている場合に共に表示される前記操作アイコンの表示領域と前記表示される画像に前記所定の属性情報が対応付けられていない場合に共に表示される前記操作アイコンの表示領域との差分の領域の少なくとも一部を含むことを特徴とする請求項４に記載の表示制御装置。
【請求項６】
前記受け付け手段によって前記操作アイコンに対する操作が連続して受け付けられている間は、前記表示制御手段は、前記操作が受け付けられた時点での前記操作アイコンの表示サイズを変更することなく前記画像の切り替えを行うよう制御することを特徴とする請求項１乃至５のいずれか１項に記載の表示制御装置。
【請求項７】
前記受け付け手段によって前記操作アイコンに対する操作が連続して受け付けられている間は、前記表示制御手段は、前記所定の属性情報が対応付けられていることを示す情報を表示しないよう制御することを特徴とする請求項１乃至６のいずれか１項に記載の表示制御装置。
【請求項８】
前記操作アイコンに対する操作が開始してから、操作された状態のまま所定時間が経過するか、前記所定時間が経過する前に操作された状態が解除されるまでは、前記表示制御手段は、画像の切り替えを行わないことを特徴とする請求項１乃至７のいずれか１項に記載の表示制御装置。
【請求項９】
前記受け付け手段はタッチパネルを有し、
前記表示される画像に前記所定の属性情報が対応付けられている場合の表示サイズで表示されている前記操作アイコンに対するタッチ操作が開始してからタッチされた状態のまま前記所定時間が経過する前に、タッチされた状態が解除された場合、前記表示制御手段は、表示する画像を切り替えるよう制御すると共に、切り替えた後に表示される画像に前記所定の属性情報が対応付けられているか否かに応じて、前記操作アイコンの表示サイズを変更するよう制御することを特徴とする請求項８に記載の表示制御装置。
【請求項１０】
前記受け付け手段はタッチパネルを有し、
前記表示される画像に前記所定の属性情報が対応付けられている場合の表示サイズで表示されている前記操作アイコンに対するタッチ操作が開始してからタッチされた状態のまま所定時間が経過した場合、前記表示制御手段は、前記操作アイコンの表示サイズを変更することなく前記画像の切り替えを行うよう制御することを特徴とする請求項８に記載の表示制御装置。
【請求項１１】
前記第一の表示サイズで表示されている前記操作アイコンに対する操作が受け付けられている間、前記表示制御手段は、切り替えて表示される画像に前記所定の属性情報が対応付けられているか否かに応じて、前記所定の属性情報が対応付けられていることを示す情報を表示するか否かを切り替えるよう制御し
前記第二の表示サイズで表示されている前記操作アイコンに対する操作が受け付けられている間、前記表示制御手段は、前記所定の属性情報が対応付けられていることを示す情報を表示しないよう制御することを特徴とする請求項３乃至５のいずれか１項に記載の表示制御装置。
【請求項１２】
前記受け付け手段によって前記操作アイコンに対する操作が連続して受け付けられている間は、前記表示制御手段は、前記操作アイコンに対する操作が受け付けられた時点での前記操作アイコンの表示サイズに関わらず、前記アイコンを前記第二の表示サイズで表示したまま前記画像の切り替えを行うよう制御することを特徴とする請求項３乃至５のいずれか１項に記載の表示制御装置。
【請求項１３】
前記属性情報は、対応付けられる画像の撮像位置を示す位置情報を含むことを特徴とする請求項１乃至１２のいずれか１項に記載の表示制御装置。
【請求項１４】
被写体を撮像して画像データを生成する撮像手段をさらに有し、
前記表示制御手段は、前記撮像手段により生成される画像データに基づく画像を表示部に表示するよう制御することを特徴とする請求項１乃至１３のいずれか１項に記載の表示制御装置。
【請求項１５】
前記表示制御装置の位置を示す位置情報を計算する計算手段と、
前記計算手段により計算された位置情報を撮影位置として、前記撮像手段により生成される画像データに対応付ける手段とを更に有することを特徴とする請求項１４に記載の表示制御装置。
【請求項１６】
前記画像を複数記録する記録媒体を有し、
前記表示制御手段は、ユーザの操作に応じて前記複数の画像をひとつずつ順番に表示するよう制御し、
前記操作アイコンは、現在表示されている画像の次の画像を表示するための画像送りアイコンであることを特徴とする請求項１乃至１５のいずれか１項に記載の表示制御装置。
【請求項１７】
前記表示制御手段は、現在表示されている画像の前の画像を表示するための画像戻しアイコンを更に表示するよう制御し、
前記画像戻しアイコンは、共に表示される画像に前記所定の属性情報が対応付けられているか否かに応じて表示サイズは変更されないことを特徴とする請求項１６に記載の表示制御装置。
【請求項１８】
ユーザ操作を受け付ける受け付けステップと、
画像を表示部に表示するよう制御すると共に、表示する画像を他の画像に切り替えるための操作アイコンを、共に表示される画像に所定の属性情報が対応付けられているか否かに応じて異なるサイズで前記表示部に表示するよう制御する表示制御ステップとを有し、
前記受け付けステップ前記操作アイコンに対する操作が連続して受け付けられている間は、前記表示制御ステップでは、表示される画像に前記所定の属性情報が対応付けられているか否かに関わらず、前記操作アイコンの表示サイズを変更することなく前記画像の切り替えを行うよう制御することを特徴とする表示制御装置の制御方法。
【請求項１９】
請求項１乃至１７のいずれか１項に記載の制御装置の各手段としてコンピュータを機能させるためのプログラム。
【手続補正２】
【補正対象書類名】明細書
【補正対象項目名】発明の名称
【補正方法】変更
【補正の内容】
【発明の名称】表示制御装置、その制御方法及びプログラム
【手続補正３】
【補正対象書類名】明細書
【補正対象項目名】０００１
【補正方法】変更
【補正の内容】
【０００１】
本発明は、複数の画像を画像送りする又は画像戻しする画像切替を行う表示制御装置、その制御方法及びプログラムに関する。
【手続補正４】
【補正対象書類名】明細書
【補正対象項目名】０００６
【補正方法】変更
【補正の内容】
【０００６】
本発明の表示制御装置は、ユーザ操作を受け付ける受け付け手段と、画像を表示部に表示するよう制御すると共に、表示する画像を他の画像に切り替えるための操作アイコンを、共に表示される画像に所定の属性情報が対応付けられているか否かに応じて異なるサイズで前記表示部に表示するよう制御する表示制御手段とを有し、前記受け付け手段によって前記操作アイコンに対する操作が連続して受け付けられている間は、前記表示制御手段は、表示される画像に前記所定の属性情報が対応付けられているか否かに関わらず、前記操作アイコンの表示サイズを変更することなく前記画像の切り替えを行うよう制御することを特徴とする。